(57)【特許請求の範囲】
【請求項１】
複数個の固定接点と可動接点とを有する接点構成部材と、複数個のキートップのそれぞれを個別に移動可能に支持する複数個のリンク機構部を保持する保持部材と、前記キートップを上方に弾圧するドーム部材とを備え、前記接点構成部材上には、前記保持部材を配設すると共に、前記保持部材を上下動させる作動部材を配設し、前記接点構成部材には、可動接点用のシートを配設し、前記作動部材により前記保持部材が前記接点構成部材上に位置して降下時は、前記キートップの移動動作で前記ドーム部材が前記シートを押圧して前記接点の切り換えを行い、また、前記作動部材により前記保持部材が前記接点構成部材から離間して上昇時の前記ドーム部材は、前記キートップの移動動作で前記シートを押圧しない状態で反転した状態となることを特徴とするキーボード装置。
【請求項２】
請求項１記載のキーボード装置を備え、該キーボード装置を、蓋を備えたケースに収納し、前記蓋の開閉動作に連動して前記作動部材が可動し前記保持部材が上下動可能になっており、前記蓋部材の開動作で前記保持部材が下方に可動し、また、前記蓋部材の閉動作で前記保持部材が下方から上方に可動するようにしたことを特徴とするパソコン。
【請求項３】
前記蓋の閉時、前記蓋によって前記キートップが押圧されて下方に移動して前記ドーム部材が反転した状態となるようにしたことを特徴とする請求項２記載のパソコン。
【発明の詳細な説明】
【０００１】
【発明の属する技術分野】
本発明は、薄型が要求されるノート型等のパソコンに使用して好適なキーボード装置、並びにこのキーボード装置を使用したパソコンに関する。
【０００２】
【従来の技術】
従来におけるキーボード装置、並びにこのキーボード装置を使用したパソコンを、図６、図７に基づいて説明する。
図６、図７は、キーボード装置Ｋがパソコンに適用された状態を示し、キーボード装置Ｋは、平板状の支持基板５０と、この支持基板５０上でスライド可能に取り付けられた接点構成部材Ｓを有している。
そして、この接点構成部材Ｓは、下方から順次、保護シート５１、固定接点用のシート５２、スペーサ用のシート５３、可動接点用のシート５４、及び保護シート５５が積層され、相互に接着されて一体化され、スペーサ用のシート５３に設けた孔５３ａの位置で、シート５２に設けられた接点５２ａとシート５４に設けられた接点５４ａとが対向して、構成されている。
【０００３】
また、キーボード装置Ｋは、接点構成部材Ｓ上に設けられた保持部材６２と、この保持部材６２に取り付けられ、複数個の支持片が交叉して成るリンク機構部５６と、このリンク機構部５６に取り付けられたキートップ５７と、上部がリンク機構部５６の交叉部に対向し、下部が接点構成部材Ｓに取り付けられたゴムから成るドーム部５８とを有している。
そして、このようなキーボード装置Ｋは、突部５９を有する開閉可能な蓋６０を備えたケース６１内に、収納して取り付けられて、パソコンが構成されている。
【０００４】
そして、このようなパソコンは、図７（Ａ）に示すように、蓋６０を開けたときは、接点構成部材Ｓが、押圧部材（図示せず）によって左側に移動して、ケース６１のストッパ片６１ａにぶつかった状態となっている。
この時、ドーム部５８は接点５４ａと対向した状態にあり、この状態で、キートップ５７をドーム部５８のバネ性に抗して下方に押圧すると、リンク機構部５６は交叉部を中心として下方に沈み込む。
すると、リンク機構部５６の交叉部で、ドーム部５８を下方に押圧し、ドーム部５８が保護シート５５とシート５４を押し、接点５４ａが接点５２ａに接触する。
また、キートップ５７の押圧を解除すると、ドーム部５８のバネ性により自己復帰すると共に、リンク機構部５６、キートップ５７も元の状態に戻り、且つ、接点５２ａと５４ａは離れた状態となる。
このようにして接点の切り換えが行われる。
【０００５】
また、パソコンの使用後、蓋６０を閉めると、図７（Ｂ）に示すように、蓋６０の突部５９が、接点構成部材Ｓを押圧部材（図示せず）に抗して右側に移動する。
すると、接点構成部材Ｓは、支持基板５０と保持部材６２とに摺接しながら右側にスライドすると共に、ドーム部５８も同方向に移動して、ドーム部５８はリンク機構部５６の交叉部から外れた状態となる。
すると、押圧支持が無くなったリンク機構部５６は、キートップ５７を伴って沈み込み、蓋６０の閉時のパソコンの高さを小さくする。
また、この図７（Ｂ）の状態で蓋６０を開くと、突部５９の接点構成部材Ｓへの押圧が解除され、押圧部材により、接点構成部材Ｓが支持基板５０と保持部材６２に摺接しながら左側にスライドすると共に、ドーム部５８がリンク機構部５６の交叉部の下部に摺接しながら潜り込み、リンク機構部５６とキートップ５７を上に押し戻して、図７（Ａ）に示す状態となる。
そして、その後は、上述したような動作により、接点の切り換えを行うものである。
【０００６】
【発明が解決しようとする課題】
従来のキーボード装置、並びにこのキーボード装置を使用したパソコンは、接点構成部材Ｓが移動するため、パソコン内の電気回路と移動する接点構成部材Ｓとの電気的接続構成が煩雑で、コスト高に成るばかりか、電気的信頼性に欠けるという問題がある。
また、接点構成部材Ｓの全面は保持部材６２と支持基板５０に摺接するため、寿命向上のために上下に保護シート５１、５５を必要とし、コスト高になる。
また、ドーム部５８はリンク機構部５６に摺接するため、長寿命化が図れず、しかも、その摺動が滑らかでなく、円滑なスライドが出来ず、操作性が悪いという問題がある。
【０００７】
【課題を解決するための手段】
上記課題を解決するための第１の解決手段として、複数個の固定接点と可動接点とを有する接点構成部材と、複数個のキートップのそれぞれを個別に移動可能に支持する複数個のリンク機構部を保持する保持部材と、前記キートップを上方に弾圧するドーム部材とを備え、前記接点構成部材上には、前記保持部材を配設すると共に、前記保持部材を上下動させる作動部材を配設し、前記接点構成部材には、可動接点用のシートを配設し、前記作動部材により前記保持部材が前記接点構成部材上に位置して降下時は、前記キートップの移動動作で前記ドーム部材が前記シートを押圧して前記接点の切り換えを行い、また、前記作動部材により前記保持部材が前記接点構成部材から離間して上昇時の前記ドーム部材は、前記キートップの移動動作で前記シートを押圧しない状態で反転した状態となる構成とした。
また、第２の解決手段として、請求項１記載のキーボード装置を備え、該キーボード装置を、蓋を備えたケースに収納し、前記蓋の開閉動作に連動して前記作動部材が可動し前記保持部材が上下動可能になっており、前記蓋部材の開動作で前記保持部材が下方に可動し、また、前記蓋部材の閉動作で前記保持部材が下方から上方に可動するようにした構成とした。
また、第３の解決手段として、前記蓋の閉時、前記蓋によって前記キートップが押圧されて下方に移動して前記ドーム部材が反転した状態となるようにした構成とした。
【０００８】
【発明の実施の形態】
本発明のキーボード装置、並びにこのキーボード装置を使用したパソコンを図１から図５に基づいて説明すると、図１は本発明のパソコンの要部断面側面図、図２は本発明のパソコンの一部を省略した平面図、図３は本発明のパソコン、並びにキーボード装置に係り、パソコンに組み込まれたキーボード装置の断面図、図４は図３のＡ−Ａ線における断面図、図５は本発明のパソコンの動作説明図である。
【０００９】
次に、本発明におけるキーボード装置、並びにこのキーボード装置を使用したパソコンを、図１から図５に基づいて説明する。
図１から図５は、キーボード装置Ｋがパソコンに適用された状態を示し、キーボード装置Ｋは、接点構成部材Ｓが設けけられている。
そして、この接点構成部材Ｓは、絶縁板から成る平板状の支持基板を兼ねる固定接点用の絶縁基板２と、この絶縁基板２上に設けられたスペーサ用のシート３と、更に、このシート３上に設けられた可動接点用のシート４が積層され、相互に接着されて一体化されている。
また、固定接点用の絶縁基板２と可動接点用のシート４には、それぞれ多数の接点（図示せず）が設けられ、この接点が、スペーサ用のシート３に設けた多数の孔３ａの位置で、それぞれ上下に対向して、接点構成部材Ｓが構成されている
【００１０】
また、キーボード装置Ｋは、接点構成部材Ｓ上に設けられた保持部材５と、この保持部材５に取り付けられ、複数個の支持片６ａ、６ｂが交叉して成るリンク機構部６と、このリンク機構部６に取り付けられた多数のキートップ７と、上部がキートップ７に対向し、下部が保持部材５に取り付けられたゴムから成る多数のドーム部材８、及びコ字状の平板型の作動部材９とを有している。
そして、前記保持部材５は、合成樹脂の成型品で作られ、ドーム部材８を取り付けるための円筒状の断面がＬ字状の複数の取付部５ａと、取付部５ａの周囲に設けられた支承部５ｂ，５ｃと、外周部に設けられた複数の傾斜部５ｄ（図２、図３参照）とを有している。
【００１１】
また、キートップ７の下面には、図３、図４に示すように、支承部７ａ、７ｂが設けられ、リンク機構部６の一方の支持片６ａは、その両端がそれぞれ保持部材５の支承部５ｃとキートップ７の支承部７ａとに係止され、また、他方の支持片６ｂは、それぞれの両端が保持部材５の支承部５ｂとキートップ７の支承部７ｂとに係止されて、両支持片６ａ、６ｂは、中間部で軸止された状態で、互いに交叉した状態となっている。
また、ドーム部材８は、下方部が保持部材５に適宜手段により取り付けられ、上部がキートップ７と当接し、図３に示すように、このドーム部材８のバネ性により、リンク機構部６とキートップ７を常時上方に弾圧すると共に、各ドーム部材８は、その突部８ａがシート３の孔３ａの上方に位置した状態となっている。
【００１２】
また、コ字状の作動部材９は、図２に示すように、キートップ７の配置領域Ｒから外れた位置のシート４上に載置され、その複数の突片９ａが、保持部材５の傾斜部５ｄの下部に位置した状態となっている。
そして、作動部材９はシート４上で、スライド可能に取り付けられていて、この作動部材９によって、保持部材５が上下動するようになっている。
このような構成によって、キーボード装置Ｋが形成されている。
【００１３】
このようなキーボード装置Ｋは、開閉可能な蓋１０を備えたケース１１内に、収納して取り付けられて、パソコンが構成されている。
そして、キーボード装置Ｋがケース１１に取り付けられた際は、蓋１０の開閉動作に連動する作動片１２が、図１に示すように、作動部材９の孔９ｂに掛け止めされ、作動部材９をスライドさせるようになっている。
そして、このようなパソコンは、図１、図２、図３に示すように、蓋１０を開けたときは、作動部材９の突片９ａが保持部材５の傾斜部５ｄとの係合が外れて、保持部材５が、自重によって下方側に移動した状態となっている。
この図３の状態で、キートップ７をドーム部材８のバネ性に抗して下方に押圧すると、リンク機構部６は交叉部を中心として下方に沈み込む。
すると、ドーム部材８が反転して、突部８ａがシート４を押し、シート４に設けられた接点が絶縁基板２に設けられた接点に接触する。
また、キートップ７の押圧を解除すると、ドーム部材８のバネ性により自己復帰すると共に、リンク機構部６、キートップ７も元の状態に戻り、且つ、可動の接点と固定の接点は離れた状態となる。
このようにして接点の切り換えが行われる。
【００１４】
また、パソコンの使用後、蓋１０を閉めると、作動片１２によって作動部材９が矢印Ｘ方向（図１参照）に移動して、図５に示すように、作動部材９の突片９ａが、保持部材５の傾斜部５ｄの下に潜り込み、保持部材５を上方に移動する。また、蓋１０を閉めると同時に、蓋１０によってキートップ５７が押圧されて、キートップ７と共にリンク機構部６が沈み込み、蓋１０の閉時のパソコンの高さを小さくする。
また、同時に、ドーム部材８が押されて、図５に示すように、シート４を押圧しない状態で反転した状態となる。
【００１５】
また、この図５の状態で蓋１０を開くと、作動片１２によって、作動部材９が矢印Ｙ方向（図１参照）に移動し、作動部材９の突片９ａが保持部材５の傾斜部５ｄとの係合が外れて、保持部材５は自重により下方に移動すると共に、蓋１０によるキートップ７への押圧が解除されて、ドーム部材８は自己のバネ性で元の状態に戻って、キートップ７、及びリンク機構部６は元の状態となり、図３に示すような状態となる。
そして、その後は、上述したような動作により、接点の切り換えを行うものである。
【００１６】
【発明の効果】
本発明のキーボード装置Ｋは、接点構成部材Ｓに対して保持部材５を上下動させるようにしたため、接点構成部材Ｓが移動することがなく、従って、パソコン内の電気回路との接続が簡単で、信頼性が良好で、安価となる上に、薄型のキーボード装置を提供できる。
また、接点構成部材Ｓが摺動移動しないため、保護用シートが不要となって、安価なものが提供できる。
また、保持部材５が作動部材９により上下動するため、簡単な構成で保持部材５の可動構成が得られ、生産性の良い、安価なものを提供できる。
また、本発明のパソコンは、蓋１０の開閉動作で、保持部材５を上下動するようにしたため、接点構成部材Ｓが移動することがなく、従って、パソコン内の電気回路との接続が簡単で、信頼性が良好で、安価となる上に、薄型のパソコンを提供できる。
また、蓋１０の開閉動作で、作動部材９を介して保持部材５を、上下動させるため、簡単な構成で、生産性の良好な安価なパソコンを提供できる。
また、蓋１０の閉時、キートップ７を押圧するため、薄型のパソコンを提供できる。
【図面の簡単な説明】
【図１】本発明のパソコンの要部断面側面図。
【図２】本発明のパソコンの一部を省略した平面図。
【図３】本発明のパソコン、並びにキーボード装置に係り、パソコンに組み込まれたキーボード装置の断面図。
【図４】図３のＡ−Ａ線における断面図。
【図５】本発明のパソコンの動作説明図。
【図６】従来のパソコンの一部断面側面図。
【図７】従来のパソコン、並びにキーボード装置の構成と動作を示す説明図。
【符号の説明】
Ｋ  キーボード装置
Ｓ  接点構成部材
２  絶縁基板
３  シート
３ａ  孔
４  シート
５  保持部材
５ａ  取付部
５ｂ、５ｃ  支承部
５ｄ  傾斜部
６  リンク機構部
６ａ、６ｂ  支持片
７  キートップ
７ａ、７ｂ  支承部
８  ドーム部材
８ａ  突部
９  作動部材
９ａ  突片
９ｂ  孔
１０  蓋
１１  ケース
１２  作動片
【図１】
0003586070.tif 000002
【図２】
0003586070.tif 000003
【図３】
0003586070.tif 000004
【図４】
0003586070.tif 000005
【図５】
0003586070.tif 000006
【図６】
0003586070.tif 000007
【図７】
0003586070.tif 000008